(57)【特許請求の範囲】
【請求項１】
駐車場に車両を駐車させる利用者に対して駐車券を発行する駐車券発行装置であって、
現在時刻を出力する時計部と、
車両の駐車場への入場を検出し、前記時計部により出力される現在時刻を用いて前記車両の駐車場への入場時刻を認識する入場時刻認識手段と、
所定の駐車料金算定規則に従って駐車料金を算定するための駐車料金算定プログラムを含む駐車料金情報を記憶する料金情報記憶手段と、
前記入場時刻を基準として複数の予想出場時刻を設定し、前記入場時刻、前記複数の予想出場時刻および前記駐車料金情報に基づいて前記複数の予想出場時刻のそれぞれに対応する複数の予想駐車料金を算定する予想駐車料金算定手段と、
前記入場時刻が印字され、且つ、前記複数の予想出場時刻と、前記複数の予想駐車料金とが、各予想出場時刻に対応するように予想駐車料金を併記した状態で印字された駐車券を作成する駐車券作成手段とを備えていることを特徴とする駐車券発行装置。
【請求項２】
外部機器と通信を行う通信部と、
前記外部機器に記憶された、前記駐車料金情報に関する変更情報を前記外部機器から前記通信部を介して受信し、この受信した変更情報を用いて、前記駐車料金情報を変更する料金情報変更手段とを備えていることを特徴とする請求項１に記載の駐車券発行装置。
【請求項３】
前記予想駐車料金算定手段は、前記駐車料金算定規則が切り替わる時刻以後の予想出場時刻を含む前記複数の予想出場時刻を設定し、当該駐車料金算定規則が切り替わる時刻以後の予想出場時刻に対応する予想駐車料金を含む前記複数の予想駐車料金を算定することを特徴とする請求項１または２に記載の駐車券発行装置。
【発明の詳細な説明】
【技術分野】
【０００１】
本発明は、時間貸し駐車場において用いられ、車両の入場時刻などを印字した駐車券を発行する駐車券発行装置に関する。
【背景技術】
【０００２】
一般に、時間貸し駐車場の駐車料金体系は、駐車場経営戦略などに基づいて様々に決められている。例えば、鉄道駅の近傍にある駐車場は、駐車場利用者の回転を良くするために逓増料金制を採用する場合が多い。一方、郊外にある駐車場は、駐車場利用者の利用時間を増やすことにより駐車場使用率を高めるために逓減料金制を採用する場合が多い。また、平日と週末とで逓増料金制と逓減料金制とを切り替えながら運用する駐車場もある。また、都市部には、複数の料金制を時間帯ごとに切り替えながら運用する駐車場もある。
【０００３】
また、一般に、駐車場に設置されている駐車券発行装置から発行される駐車券には、駐車場利用者が車両を駐車場に入場させた日時が印字される。また、駐車場には、駐車料金表を掲示した案内板が設置されている。駐車場利用者は、駐車券に印字された入場時刻、および案内板に掲示された駐車料金表を見ることにより、所望の出場時刻に対応する駐車料金を計算することができる。
【０００４】
しかし、上述したように、駐車料金体系は様々であり、しかも複雑である。このため、駐車場利用者にとって、所望の出場時刻に対応する駐車料金を頭の中で正確にまたは迅速に計算することは必ずしも容易ではない。
【０００５】
下記の特許文献１および２には、このような時間貸し駐車場において、駐車場利用者による駐車料金計算を補助するシステムが記載されている。
【０００６】
すなわち、特許文献１には、駐車料金精算時に駐車券を料金精算機に挿入する前に、料金支払いの準備を行えるようにするシステムが記載されている。このシステムは、現在時刻を計時する時計手段と、入場直後に基本料金を課金する初期時間と初期時間が経過した後に追加単位料金を課金する追加単位時間とを記憶する記憶手段と、基本料金が適用される最終入場時刻を算出し、かつ、基本料金と追加単位料金のｎ倍の追加料金との和からなる駐車料金が適用される最終入場時刻を算出する最終入場時刻算出手段と、各最終入場時刻とこれに対応する駐車料金とを対応させて表示する表示手段とを有している。この表示手段は、電光表示器又は液晶表示器などにより構成されている。
【０００７】
特許文献２には、駐車場の駐車料金の単価を表示することにより駐車場利用者の利便性を向上させるシステムが記載されている。このシステムでは、各時間帯の駐車料金の単価を表示した表示板に表示ランプを設置し、現在の時刻に対応する時間帯の表示ランプあるいは表示を点灯（点滅）させる。このシステムの別の実施例では、入力装置から入力した各時間帯の駐車料金の単価をメモリに格納しておく。時計部からの時刻情報に基づき、現時刻における駐車料金の単価を表示板に表示させる。
【特許文献１】特許３８８７０９１号公報
【特許文献２】実登３１３４７３８号公報
【発明の開示】
【発明が解決しようとする課題】
【０００８】
しかしながら、上述した特許文献１および２に記載のシステムでは、料金精算機とは別の料金表示装置を駐車場に設け、駐車料金の金額をこの料金表示装置に表示するに過ぎない。このため、これらのシステムでは、駐車場利用者が所望の出場時刻に対応する駐車料金を頭の中で正確に又は迅速に計算することの容易化を十分に図ることができない。また、上述した特許文献１および２に記載のシステムでは、料金表示装置を追加する分、システムの製造コストおよび管理コストが増加する。
【０００９】
本発明は例えば上述したような問題に鑑みなされたものであり、本発明の課題は、複雑な料金体系の時間貸し駐車場において、利用者が駐車時間に応じた駐車料金の計算や把握を容易に行うことができ、かつ製造コストまたは管理コストの増加を抑制することができる駐車券発行装置を提供することにある。
【課題を解決するための手段】
【００１０】
上記課題を解決するために、本発明は、駐車場に車両を駐車させる利用者に対して駐車券を発行する駐車券発行装置であって、現在時刻を出力する時計部と、車両の駐車場への入場を検出し、前記時計部により出力される現在時刻を用いて前記車両の駐車場への入場時刻を認識する入場時刻認識手段と、所定の駐車料金算定規則に従って駐車料金を算定するための駐車料金算定プログラムを含む駐車料金情報を記憶する料金情報記憶手段と、前記入場時刻を基準として複数の予想出場時刻を設定し、前記入場時刻、前記複数の予想出場時刻および前記駐車料金情報に基づいて前記複数の予想出場時刻のそれぞれに対応する複数の予想駐車料金を算定する予想駐車料金算定手段と、前記入場時刻が印字され、且つ、前記複数の予想出場時刻と、前記複数の予想駐車料金とが、各予想出場時刻に対応するように予想駐車料金を併記した状態で印字された駐車券を作成する駐車券作成手段とを備えている。
【００１１】
また、上述した本発明の駐車券発行装置には、外部機器と通信を行う通信部と、前記外部機器に記憶された、前記駐車料金情報に関する変更情報を前記外部機器から前記通信部を介して受信し、この受信した変更情報を用いて、前記駐車料金情報を変更する料金情報変更手段とを追加することができる。
【００１２】
また、上述した本発明の駐車券発行装置において、前記予想駐車料金算定手段は、前記駐車料金算定規則が切り替わる時刻以後の予想出場時刻を含む前記複数の予想出場時刻を設定し、当該駐車料金算定規則が切り替わる時刻以後の予想出場時刻に対応する予想駐車料金を含む前記複数の予想駐車料金を算定することが望ましい。
【発明の効果】
【００１３】
本発明によれば、複雑な料金体系の時間貸し駐車場において、利用者は駐車時間に応じた駐車料金の計算や把握を容易に行うことが可能になり、かつ、このような効果を、駐車場運営管理に係るシステムの製造コストまたは管理コストの増加を抑制しながら実現することができる。
【発明を実施するための最良の形態】
【００１４】
以下、図面を参照しつつ、本発明の実施の形態について説明する。図１は、駐車場入り口のレイアウトを示している。図１に示すように、駐車場入り口には、駐車場（図示省略）への車両用の入場車路１、当該入場車路１に設けられた入口ゲート用のゲート開閉装置２、入口ゲートバー３を挟んでその外側と内側の車路に埋設された第１の車両センサ４と第２の車両センサ５（いずれもループコイルを有する）、入場車路１の一側に設置された本発明に係る駐車券発行装置（発券機）６などが設けられている。
【００１５】
駐車券発行装置６は、駐車場に駐車する車両７に対して駐車券５０（図６参照）を発行する。すなわち、駐車券発行装置６は、駐車場に入場する車両７が外側の第１の車両センサ４により検出され、かつ、駐車券発行釦１５（図２参照）が駐車場利用者（ドライバ等）により押下された場合、発券口１１（図２参照）に駐車券５０を発行する。駐車場利用者がこの駐車券５０を発券口１１から抜き取ると、駐車券発行装置６は、ゲート開閉装置２に開信号を送る。これにより、入口ゲートバー３が開いて車両７の入場が可能になる。また、入場した車両７の通過が内側の第２の車両センサ５により検知され、検知信号（閉信号）がゲート開閉装置２に送られると、ゲート開閉装置２は、入口ゲートバー３を閉じる。なお、駐車券発行装置６において、入場する車両７が第１の車両センサ４により検出された時点で自動的に駐車券を発行する構成としてもよい。
【００１６】
図２は、駐車券発行装置６の外観を示している。図２に示すように、駐車券発行装置６は、駐車券５０の発券口１１、各種のメッセージや時刻等を表示する表示器１２、音声ガイド用のスピーカ１３、係員呼び出し用のインターホン（押し釦）１４、駐車券発行釦１５、メンテナンス用の開閉自在に構成された横扉１６などを備えている。
【００１７】
図３は、駐車券発行装置６内部の電気的構成を示している。図３に示すように、駐車券発行装置６は、ＣＰＵ２１（Ｃｅｎｔｒａｌ  Ｐｒｏｃｅｓｓｉｎｇ  Ｕｎｉｔ）およびメモリ２２を備えており、ＣＰＵ２１およびメモリ２２はバス２３を介して相互に接続されている。さらに、ＣＰＵ２１およびメモリ２２には、バス２３を介してインタフェース２４が接続されており、インタフェース２４には、図２に示す表示器１２、スピーカ１３、インターホン１４および駐車券発行釦１５が接続されている。さらに、インタフェース２４には、ゲート開閉装置２を駐車券発行装置６に接続するＩ／Ｏ信号端子２５、磁気カードリーダ／ライタ２６、現在時刻を出力する内部時計２７（時計部）および各種料金設定をするための設定器２８が接続されている。さらに、インタフェース２４には、図１に示す第１の車両センサ４および第２の車両センサ５が接続されている。
【００１８】
メモリ２２には、後述する入場時刻認識部３１、予想駐車料金算定部３２、駐車券作成部３３、利用者案内部３４およびゲート開閉制御部３５としてＣＰＵ２１を機能させるためのプログラムのほか、インタフェース２４に接続された図３に示す各機器を制御するためのプログラムなどが記憶されている。ＣＰＵ２１は、これらのプログラムをメモリ２２から読み取り、実行することにより、上記構成要素３１ないし３５としてＣＰＵ２１を機能させると共に、インタフェース２４に接続された図３に示す各機器を制御する。また、メモリ２２は、ＣＰＵが上記プログラムを実行するときの作業用メモリとして用いられる。さらに、メモリ２２（料金情報記憶手段）には、駐車料金情報３７が記憶されている。駐車料金情報３７には、駐車料金を算定するための駐車料金算定規則に従った駐車料金算定プログラムおよび駐車料金データが含まれている。
【００１９】
なお、図３において破線で示した外部機器通信部２９（通信部）は、同様に破線で示した外部機器としての駐車場管理機３０と通信を行い、駐車場管理機３０から変更情報（変更後の駐車料金算定規則に従った駐車料金算定プログラムおよび駐車料金データなど）を受信するオプション構成であり、詳細は後述する。同様に破線で示した料金情報変更部３６についても後述する。
【００２０】
図４は、駐車券発行装置６内部の機械的構成を示している。図４に示すように、駐車券発行装置６は、印字ヘッド２６Ａ、印字リボン２６Ｂ、磁気ヘッド２６Ｃ、搬送路４１、搬送モータ４２、搬送モータ４２の回転を搬送ローラ４３に伝えるベルト４４、搬送ローラ４３の回転を他の搬送ローラ４３に伝えるベルト４５、各搬送ローラ４３の上面側に接して夫々連動回転されるプーリ４６、カッタ４７、フィードモータ４８などを有する磁気カードリーダ／ライタ２６と、駐車券供給箱４９などを備えている。
【００２１】
図５は、券番号、日付、入場時刻、複数の予想出場時刻および複数の予想駐車料金が印字または記録される前の駐車券５０を示している。駐車券５０の表面には、図５に示すように、駐車券５０の長手方向に伸びる磁気ストライプ５１が予め塗布されており、駐車場名称５２、駐車券挿入方向を示す矢印５３および予想駐車料金印字枠５４が予め印刷されている。また、予想駐車料金印字枠５４内の「精算時刻」および「料金（円）」なる文字も駐車券５０に予め印刷されている。
【００２２】
図６は、券番号、日付、入場時刻、複数の予想出場時刻および複数の予想駐車料金が印字または記録された後の駐車券５０を示している。図６に示すように、券番号、日付および入場時刻は、磁気ストライプ５１の下側の印字領域５５に印字される。また、複数の予想出場時刻および複数の予想駐車料金は、予想駐車料金印字枠５４内に印字される。また、券番号、日付および入場時刻は、磁気ストライプ５１にも磁気データとして記録される。
【００２３】
上述した構成を有する駐車券発行装置６は次のように動作する。第１の車両センサ４により車両７が検知されたとき、利用者案内部３４が、「発券釦を押して駐車券をお取りください」等のアナウンスと表示器１２上の表示を行う。
【００２４】
これに応じて駐車場利用者が駐車券発行釦１５を押下したとき、入場時刻認識部３１が、車両７の駐車場への入場を検出し、内部時計２７により出力される現在時刻を用いて車両７の駐車場への入場時刻を認識する。すなわち、入場時刻認識部３１は、第１の車両センサ４による車両７の検知および駐車券発行釦１５の押下をもって、車両７の駐車場への入場を検出する。そして、入場時刻認識部３１は、車両７の駐車場への入場が検出された時点において内部時計２７から出力される現在時刻を受け取り、この時刻を車両７の駐車場への入場時刻として認識する。
【００２５】
続いて、予想駐車料金算定部３２が、入場時刻認識部３１により認識された入場時刻を基準として複数の予想出場時刻を設定し、入場時刻、複数の予想出場時刻および駐車料金情報３７に基づいて、上記複数の予想出場時刻にそれぞれ対応する複数の予想駐車料金を算定する。このとき、予想駐車料金算定部３２は、必要に応じて、駐車料金算定規則が切り替わる時刻以後の予想出場時刻を含む複数の予想出場時刻を設定し、当該駐車料金算定規則が切り替わる時刻以後の予想出場時刻に対応する予想駐車料金を含む複数の予想駐車料金を算定する。予想出場時刻の算定については、後に具体例をあげて説明する。
【００２６】
続いて、駐車券作成部３３が、磁気カードリーダ／ライタ２６の搬送モータ４２、フィードモータ４８などを制御することにより、例えば次のような手順で駐車券５０を作成する。すなわち、まず、フィードモータ４８により駐車券５０を駐車券供給箱４９から搬送路４１に引き上げる。駐車券５０は、図７に示すように、複数の駐車券５０が連結片５６を介して連結された駐車券連結体５７の形で、駐車券供給箱４９内に収納されているので、駐車券５０を搬送路４１に引き上げるときに、カッタ４７により連結片５６を切断し、単体の駐車券５０を駐車券連結体５７から切り離す。続いて、磁気カードリーダ／ライタ２６の搬送モータ４２により搬送ローラ４３とプーリ４６とを回転させながら、搬送路４１内において駐車券５０を走行させ、券番号、日付、入場時刻、複数の予想出場時刻および複数の予想駐車料金を駐車券５０の表面に印字すると共に、券番号、日付および入場時刻を磁気ストライプ５１に記録する。さらに、搬送モータ４２の回転を継続させて駐車券５０を図４中の左方向に移動させ、発券口１１へ搬送する。
【００２７】
駐車場利用者が印字および記録済みの駐車券５０を発券口１１から抜き取ったとき、ゲート開閉制御部３５が、Ｉ／Ｏ信号端子２５経由でゲート開閉装置２に入口ゲートバー３の開指示を送信し、入口ゲートバー３を開ける。続いて、駐車場内への車両７の進入が第２の車両センサ５により検知されたときに、ゲート開閉制御部３５は、Ｉ／Ｏ信号端子２５経由でゲート開閉装置２に入口ゲートバー３の閉指示を送信し、入口ゲートバー３を閉じる。
【００２８】
駐車券５０の予想駐車料金印字枠５４内に印字される複数の予想出場時刻の設定および複数の予想駐車料金の算定について具体的に説明する。
【００２９】
表１に示す第１の駐車料金体系では、昼間の駐車料金算定規則と夜間の駐車料金算定規則との２種類の駐車料金算定規則を採用することにより、昼間料金と夜間料金とに差をつけ、さらに最大料金を設定している。すなわち、６時から２２時までは、昼間の駐車料金算定規則として、最初の１時間を５００円とし、それ以降３０分毎に２５０円とし、さらに２４時間までの駐車時間であれば最大２０００円としている。また、２２時から６時までは、夜間の駐車料金算定規則として、最初の１時間を３００円とし、それ以降３０分毎に１５０円とし、さらに２４時間までの駐車時間であれば最大２０００円としている。この駐車料金体系は、夜間の利用または長時間の利用を促すために、夜間料金を昼間料金よりも安くし、また最大料金を低く設定している。なお、このような駐車料金体系に基づく駐車料金は、通常、案内板に掲示され、図１で示した駐車場の入場車路１付近に表示されている。
【００３０】
【表１】
0005237699.tif 000002
例えば８月１４日、１０時２２分に、表１に示す第１の駐車料金体系を採用した駐車場に車両７が入場したとき、予想駐車料金算定部３２は、表２に示すように複数の予想出場時刻を設定し、これら複数の予想出場時刻にそれぞれ対応する複数の予想駐車料金を算定する。
【００３１】
【表２】
0005237699.tif 000003
表２に示す複数の予想出場時刻および複数の予想駐車料金は、図６に示すように、駐車券５０の予想駐車料金印字枠５４内に印字される。駐車場利用者は、予想駐車料金印字枠５４内に印字された複数の予想出場時刻および複数の予想駐車料金を見ることにより、出場を予定している時刻においてかかる駐車料金を、駐車料金体系に基づく複雑な計算をすることなく、容易に知ることができ、また、最大料金は何時までが適応されるのか、さらには、何時間以上ならばさらに何時まで駐車しても料金は変わらないのかなどを容易に把握することができる。
【００３２】
また、８月１５日、２０時１５分に、表１に示す第１の駐車料金体系を採用した駐車場に車両７が入場したとき、予想駐車料金算定部３２は、表３に示すように複数の予想出場時刻を設定し、これら複数の予想出場時刻にそれぞれ対応する複数の予想駐車料金を算定する。
【００３３】
【表３】
0005237699.tif 000004
表３においては、入場時刻が夜間料金に切り換わる１時間４５分前である。そのため、入場時刻から１時間半は昼間の駐車料金算定規則が適用されるが、その後は夜間の駐車料金算定規則が適用されている。このように、入場時刻が、駐車料金算定規則が切り替わる時刻前の所定時間内である場合、予想駐車料金算定部３２は、駐車料金算定規則が切り替わる時刻以後の予想出場時刻を含む複数の予想出場時刻を設定し、当該駐車料金算定規則が切り替わる時刻以後の予想出場時刻に対応する予想駐車料金を含む複数の予想駐車料金を算定する。例えば、表３において、駐車料金算定規則が切り替わる時刻以後に最初に駐車料金が増額された条件のままでの最長の予想出場時刻は２３：１５であり、当該駐車料金算定規則が切り替わる時刻以後に最初に駐車料金が増額された条件のままでの最長の予想出場時刻に対応する予想駐車料金は１３００円である。
【００３４】
表３に示す複数の予想出場時刻および複数の予想駐車料金は、図８に示すように、駐車券５０の予想駐車料金印字枠５４内に印字される。駐車場利用者は、車両７を駐車させている間に駐車料金算定規則が切り替わることにより、出場を予定している時刻おいてかかる駐車料金の計算がより一層複雑になる場合であっても、予想駐車料金印字枠５４内に印字された複数の予想出場時刻および複数の予想駐車料金を見ることにより、駐車料金を容易に知ることができる。
【００３５】
一方、表４に示す第２の駐車料金体系は、長時間駐車するほど時間当たりの駐車料金が減少する駐車料金算定規則を採用しており、このような駐車料金体系は逓減料金制といわれることもある。なるべく長時間駐車利用して欲しい場合にはこのような料金体系を採用することが多い。
【００３６】
【表４】
0005237699.tif 000005
例えば８月１４日、８時６分に、表４に示す第２の駐車料金体系を採用した駐車場に車両７が入場したとき、予想駐車料金算定部３２は、表５に示すように複数の予想出場時刻を設定し、これら複数の予想出場時刻にそれぞれ対応する複数の予想駐車料金を算定する。
【００３７】
【表５】
0005237699.tif 000006
表５に示す複数の予想出場時刻および複数の予想駐車料金は、図９に示すように、駐車券５０の予想駐車料金印字枠５４内に印字される。
【００３８】
他方、表６に示す第３の駐車料金体系は、短時間であれば無料で駐車できるが、一定時間以上の駐車には料金が課せられ、さらに長時間の駐車には時間当たりの駐車料金が増加する駐車料金算定規則を採用しており、このような駐車料金体系は逓増料金制といわれることもある。なるべく短時間で多くの利用者に駐車場近傍の施設を利用して欲しい場合にはこのような料金体系を採用することが多い。
【００３９】
【表６】
0005237699.tif 000007
例えば８月２０日、１３時８分に、表６に示す第３の駐車料金体系を採用した駐車場に車両７が入場したとき、予想駐車料金算定部３２は、表７に示すように複数の予想出場時刻を設定し、これら複数の予想出場時刻にそれぞれ対応する複数の予想駐車料金を算定する。
【００４０】
【表７】
0005237699.tif 000008
表７に示す複数の予想出場時刻および複数の予想駐車料金は、図１０に示すように、駐車券５０の予想駐車料金印字枠５４内に印字される。なお、これらの例において予想出場時刻の設定は何時何分「まで」で示したが、これを何時何分「から」として、駐車料金が増額される時間で示してもよい。
【００４１】
以上、本発明の実施形態である駐車券発行装置６によれば、駐車場利用者は、駐車券５０に印字された複数の予想出場時刻および複数の予想駐車料金を一目見れば、出場を予定している時刻における駐車料金を容易に知ることができるので、出場前に小銭などの準備をすることができる。また、駐車料金に纏わるトラブルを減少させることができ、出口料金精算機での問い合わせや苦情を減らすことができ、出口渋滞を緩和することができる。また、このような効果を駐車券５０への印字により実現することができるので、既存の駐車券発行装置を大幅に改造する必要がなく、また上述したような料金表示装置を別途設ける必要もない。したがって、駐車場運営管理に係るシステム（例えば駐車券発行装置６、料金精算機、駐車場管理機３０などからなるシステム）の製造コストおよび管理コストの増加を大幅に抑制しながら、顧客満足度の高い駐車場を提供することができる。
【００４２】
なお、駐車料金体系は、曜日毎や、特別なイベントが開催される場合に、暫定的、時限的に変わることもある。このような場合には、駐車券発行装置６のメモリ２２に記憶されている駐車料金情報３７を変更する必要がある。このような必要がある場合には、図３において破線で示したように、外部機器通信部２９および料金情報変更部３６を駐車券発行装置６に追加することが望ましい。料金情報変更部３６は、駐車場管理機３０に記憶された駐車料金情報に関する変更情報を駐車場管理機３０から外部機器通信部２９を介して受信し、この受信した変更情報を用いて、駐車料金情報３７を変更する。変更情報には、変更後の駐車料金算定規則に従った駐車料金算定プログラムおよび駐車料金データなどが含まれている。この場合、変更情報を送信する親機は、駐車場管理機３０に限らず、駐車場内部を一括で管理する管理ＰＣあっても、料金精算機であってもよく、さらにその料金精算機をインターネットを介して遠隔的に設定するようなシステムであってもよい。
【００４３】
また、本発明の実施形態として示した磁気カードリーダ／ライタ２６の印字ヘッド２６Ａは、ドットインパクト形式のものを想定しており、印字ヘッド２６Ａのカード搬送方向と直角な方向の移送手段としてのキャリッジ往復機構も搭載されているが、図面上は省略している。
【００４４】
また、本発明の実施形態として示した磁気カード（駐車券５０）は表面に磁気ストライプ５１を有し、その同一面に上記ドットインパクト式の印字ヘッド２６Ａで印字リボン２６Ｂのインクを転写させて印字するようなものを想定しているが、これに限らず、例えば裏面に磁気ストライプを塗布したものや、表面の印字はサーマル方式を採用し、感熱性の駐車券にサーマルヘッドで文字や図柄を印字してもよい。
【００４５】
さらに、印字の方向はカード搬送方向にみて平行に印字したが、カード搬送方向にみて直角に印字し、その印字段数を多くするなども本発明の応用として容易に可能な形態である。加えて、当初より駐車券に印刷されている駐車場名称やカード挿入方向なども、すべて印字ヘッドやサーマルヘッドで印字しながら発券することで、なにも印刷されていない未使用駐車券を供給できるようにして、駐車券の種類を統一することも可能である。
【００４６】
予想出場時刻と予想駐車料金の印字に関しては、実施形態では５行に限って示したが、これも前述のように増加させることも可能であるが、スペースに限りがあるのと、利用者がどの程度の情報であればわかりやすいかを鑑みると、必ずしも多くのパターンを印字するのではなく、実施形態のように少なくとも料金体系が切り換わって料金計算に迷う時間帯を含んで印字すればよい。それでも当初スペースに余裕がある場合は、料金の増加するステップから、前後の印字すべき時刻（切り替わり時間帯の時刻）の中間値に最も近い時刻の料金を採用するようにすればよい。
【００４７】
また、本発明は、請求の範囲および明細書全体から読み取るこのできる発明の要旨または思想に反しない範囲で適宜変更可能であり、そのような変更を伴う駐車券発行装置もまた本発明の技術思想に含まれる。
【図面の簡単な説明】
【００４８】
【図１】本発明の実施形態に係る駐車券発行装置などが設けられた駐車場入り口のレイアウトを示す説明図である。
【図２】本発明の実施形態に係る駐車券発行装置の外観を示す斜視図である。
【図３】本発明の実施形態に係る駐車券発行装置の電気的構成を示すブロック図である。
【図４】本発明の実施形態に係る駐車券発行装置の機械的構成を示す断面図である。
【図５】入場時刻、予想出場時刻、予想駐車料金などが印字される前の駐車券を示す説明図である。
【図６】第１の駐車料金体系に基づく予想出場時刻、予想駐車料金などが印字された後の駐車券を示す説明図である。
【図７】複数の駐車券が連結した駐車券連結体を示す説明図である。
【図８】第１の駐車料金体系に基づく予想出場時刻、予想駐車料金などが印字された後の駐車券を示す説明図である。
【図９】第２の駐車料金体系に基づく予想出場時刻、予想駐車料金などが印字された後の駐車券を示す説明図である。
【図１０】第３の駐車料金体系に基づく予想出場時刻、予想駐車料金などが印字された後の駐車券を示す説明図である。
【符号の説明】
【００４９】
６  駐車券発行装置
７  車両
２７  内部時計（時計部）
２９  外部機器通信部（通信部）
３０  駐車場管理機（外部機器）
３１  入場時刻認識部（入場時効認識手段）
３２  予想駐車料金算定部（予想駐車料金算定手段）
３３  駐車券作成部（駐車券作成手段）
５０  駐車券
５４  予想駐車料金印字枠
【図１】
0005237699.tif 000009
【図２】
0005237699.tif 000010
【図３】
0005237699.tif 000011
【図４】
0005237699.tif 000012
【図５】
0005237699.tif 000013
【図６】
0005237699.tif 000014
【図７】
0005237699.tif 000015
【図８】
0005237699.tif 000016
【図９】
0005237699.tif 000017
【図１０】
0005237699.tif 000018